(57)【特許請求の範囲】
【請求項１】
外部より加熱されることで内部の圧力が上昇するよう構成した容器と、一定温度で溶融する金属で容器内に設けた穴を塞ぐことにより、蒸気を容器外に排出する圧力安全装置を有し、
前記圧力安全装置は、通常圧力時に溶融した金属が容器内に落下しないように、溶融金属の自重落下方向が容器の外方となるように構成としたことを特徴とする圧力鍋。
【請求項２】
前記容器には、上面を覆う蓋が開閉自在に設けられ、前記蓋には、外部と貫通しかつ外部側の出口が水平より下方に向けた蒸気排出孔が設けられ、前記蒸気排出孔の出口に溶融金属を設けたことを特徴とする請求項１に記載の圧力鍋。
【請求項３】
前記容器には、上面を覆う蓋が開閉自在に設けられ、前記蓋には、外部と貫通する圧力調整孔が形成されたノズルとこれを上方より閉塞する錘で構成した錘式の調圧弁を設け、ノズルの側面に水平より下方に向けた蒸気排出孔を設け、前記蒸気排出孔に溶融金属の圧力安全装置を設けたことを特徴とする請求項１記載の圧力鍋。
【請求項４】
前記圧力安全装置は、外面がねじ加工し、貫通する穴部を溶融金属で覆う構成であることを特徴とする請求項１〜３に記載の圧力鍋。
【発明の詳細な説明】
【技術分野】
【０００１】
本発明は、安全装置を有した容器内に圧力を加えて調理する圧力鍋に関するものである。
【背景技術】
【０００２】
従来、この種の圧力鍋の安全装置は、圧力が上昇すると温度が高くなることを利用し、一定温度で溶解する金属を使用するものがある。つまり、圧力鍋の蓋部に設けた穴を溶融金属で塞ぐ構成であった。（例えば、特許文献１参照）。
【先行技術文献】
【特許文献】
【０００３】
【特許文献１】特開昭５２−２４７６９号公報
【発明の概要】
【発明が解決しようとする課題】
【０００４】
このような従来の圧力鍋の温度により動作する溶融金属タイプの安全装置では、鍋内に水分がある場合は、内部は蒸気が充満し圧力が高くなっているため溶融金属が溶けると内部の蒸気と共に溶けた金属も外部に排出される。
【０００５】
しかし、鍋内に水分がない状態で加熱した場合は、鍋内に蒸気はなく圧力上昇もないが、鍋内の温度のみが高くなり、溶融金属が溶解するが、溶解した金属は、鍋内の圧力が高くないため、自重で落下し、そのまま調理物に入るという課題があった。鍋内の水は調理の始めに入れ忘れる場合及び、入れても調理中におもり部等から排出され、気が付いた時には、鍋内の水が全て排出されている等、比較的安易に起こるものであり、確実な対応が求められている。
【０００６】
本発明は上記従来の課題を解決するもので、鍋内に水分がない場合でも溶融金属が鍋内に入ることのないようにすることを目的としている。
【課題を解決するための手段】
【０００７】
請求項１に記載の圧力鍋は、外部より加熱されることで内部の圧力が上昇するよう構成した容器と、一定温度で溶融する金属で容器内に設けた穴を塞ぐことにより、蒸気を容器外に排出する圧力安全装置を有し、前記圧力安全装置は、通常圧力時に溶融した金属が容器内に落下しないように、溶融金属の自重落下方向が容器の外方となるようにしたことを特徴とする。
【０００８】
請求項２に記載の圧力鍋は、請求項１に記載の圧力鍋であり、前記容器には、上面を覆う蓋が開閉自在に設けられ、前記蓋には、外部と貫通しかつ外部側の出口が水平より下方に向けた蒸気排出孔が設けられ、前記蒸気排出孔の出口に溶融金属を設けたことを特徴とする。
【０００９】
請求項３に記載の圧力鍋は、請求項１に記載の圧力鍋であり、前記容器には、上面を覆う蓋が開閉自在に設けられ、前記蓋には、外部と貫通する圧力調整孔が形成されたノズルとこれを上方より閉塞する錘で構成した錘式の調圧弁を設け、ノズルの側面に水平より下方に向けた蒸気排出孔を設け、前記蒸気排出孔に溶融金属の圧力安全装置を設けたことを特徴とする。
【００１０】
請求項４に記載の圧力鍋は、請求項１〜３に記載の圧力鍋であり、前記圧力安全装置は、外面がねじ加工し、貫通する穴部を溶融金属で覆う構成であることを特徴とする。
【発明の効果】
【００１１】
本発明の圧力鍋の安全装置は、鍋内に水分がない場合でも溶融金属が鍋内に入ることのないようにすることができる。
【図面の簡単な説明】
【００１２】
【図１】本発明を適用してなる第１実施例における圧力鍋の断面図。
【図２】本発明を適用してなる第１実施例における圧力鍋の要部断面図である。
【図３】本発明を適用してなる第２実施例における圧力鍋の断面図である。
【図４】本発明を適用してなる第２実施例における圧力鍋の要部断面図である。
【図５】本発明を適用してなる第３実施例における圧力鍋の要部断面図である。
【発明を実施するための形態】
【００１３】
第１の発明は、外部より加熱されることで内部の圧力が上昇するよう構成した容器と、一定温度で溶融する金属で容器内に設けた穴を塞ぐことにより、蒸気を容器外に排出する圧力安全装置を有し、圧力安全装置は、通常圧力時に溶融した金属が容器内に落下しないように、溶融金属の自重落下方向が容器の外方となるように構成したことを特徴とする。このため、誤って鍋内に水がない状態で加熱しても、溶融金属が鍋内に入ることのないようにすることができる。
【００１４】
第２の発明は、請求項１に記載の圧力鍋であり、前記容器には、上面を覆う蓋が開閉自在に設けられ、前記蓋には、外部と貫通しかつ外部側の出口が水平より下方に向けた蒸気排出孔が設けられ、前記蒸気排出孔の出口に溶融金属を設けたことを特徴とする。このため、簡単な構成で確実な効果を得ることができる。
【００１５】
第３の発明は、請求項１に記載の圧力鍋であり、前記容器には、上面を覆う蓋が開閉自在に設けられ、前記蓋には、外部と貫通する圧力調整孔が形成されたノズルとこれを上方より閉塞する錘で構成した錘式の調圧弁を設け、ノズルの側面に水平より下方に向けた蒸気排出孔を設け、前記蒸気排出孔に溶融金属の圧力安全装置を設けたことを特徴とする。このため、部品構成が簡素で、安価な圧力鍋を提供できる。
【００１６】
第４の発明は、上記第３の発明において、安全装置は、外面がねじ加工し、貫通する穴部を溶融金属で覆うようにしたものであり、組立、サービス性が優れた圧力鍋を提供できる。
【実施例】
【００１７】
以下、本発明の一実施の形態について、図面を参照しながら説明する。なお。この実施の形態によって本発明が限定されるものではない。
【００１８】
（実施の形態１）
図１は本発明の第１の実施形態における電気圧力鍋の断面図を示すものである。又、図２は本発明の第１実施形態における電気圧力鍋の部分拡大断面図を示すものである。
【００１９】
図１〜２に示すように、圧力鍋本体１は上面が開口されており、この圧力鍋本体１の内部に容器３を収納している。容器３には、容器３の上面開口部を開閉自在に覆う蓋４で覆われており、外部より加熱されることで内部の圧力が上昇するよう構成している。蓋４は、加圧時は蓋４と容器３に環状のパッキング５が密着し、この蓋４の上面には重錘式の調圧弁６を設けている。調圧弁６は外部と貫通する圧力調整孔７を有するノズル２と、これを上方より閉塞する重錘８で圧力を保持する構成としている。
【００２０】
温度検出手段９は、容器３の底部の温度を検知するもので、容器３に圧接するようにしている。加熱手段１０は、容器３を加熱して容器３内を加圧するもので、加熱体により構成している。
【００２１】
制御装置１１は、例えばＣＰＵ（Ｃｅｎｔｒａｌ  Ｐｒｏｃｅｓｓｉｎｇ  Ｕｎｉｔ）等のマイクロプロセッサーからなり、電気圧力鍋の各回路の制御を司る。この制御装置１１は圧力鍋本体１の側面に設けられている。
【００２２】
又、ユーザが指示操作を行うための操作手段も搭載されており、使用者が容器３内の圧力を選択するための圧力選択手段１２、調理時間を設定するための時間設定手段１３、調理をスタートさせるための調理スタート手段１４、保温をオフするための保温オフ手段１５を搭載している。これら操作手段は、押下式のスイッチやタッチパネル式等の入力装置により実現している。又、制御手段１６は、圧力選択手段１２で設定された圧力を、時間設定手段１３により設定された時間だけ保つように、加熱手段１０を制御する。
【００２３】
圧力安全装置１７は、外部と貫通する蒸気排出孔１８とこの蒸気排出孔１８の出口１８ａを覆い閉鎖するように設けた一定温度で溶解する溶融金属１９で構成され、蒸気排出孔１８の出口１８ａ部分は、水平より下方に向けて傾斜するように設けられており、この蒸気排出孔１８の出口１８ａ部分は、一定温度で溶解する溶融金属１９で塞がれている。尚、溶融金属１９は、容器３内の圧力を選択する圧力選択手段１２により設定される最高圧力に該当する温度以上に高く設定されており、通常使用状態で溶解するものではない。
【００２４】
上記構成において図１〜図２を参照しながら動作を説明する。まず、容器３内に水が存在する場合について説明する。
【００２５】
使用者が、圧力選択手段１２により調理の圧力を設定し、時間設定手段１３により調理時間を設定した後、調理スタート手段１４により調理をスタートの指示操作を行うと、制御装置１１は、加熱手段１０をＯＮし容器３を加熱し、内部の圧力を高めていく。そして、温度検知手段９の信号により所定の温度（圧力）になると、加熱手段１０をＯＮ−ＯＦＦ制御し、容器を所定の温度（圧力）に保ち、所定の時間が経過すると加熱を停止する。
【００２６】
このように、通常使用時には問題ないが温度検知手段９が故障した場合には、所定の圧力に達しても、加熱手段の通電がＯＦＦされず、加熱を続けると容器３内の圧力が上昇する。
【００２７】
圧力が溶融金属の溶解温度になると、圧力安全装置１７の溶融金属１９が溶解し、（容器３内が高圧状態であるために）蒸気排出孔１８より、容器３内の蒸気とともに溶融金属１９も容器３外に排出され、内部の圧力は大気圧まで低減され、不安全にはならない。
【００２８】
つぎに、容器３内に水がない場合について説明する。
【００２９】
温度検知手段９が故障していると、所定の温度に達しても、加熱手段１０の通電がＯＦＦされず、加熱を続けると温度が上昇する。水がないため、容器３内に蒸気がなく、圧力は上昇せず、温度のみが上昇することになる。
【００３０】
そして、圧力が溶融金属１９の溶解温度になると、圧力安全装置１７の溶融金属１９が溶解するが、容器３内に蒸気はないため、溶解した金属は自重で鉛直下方向に滴下する。この時、蒸気排出孔１８の出口１８ａ部分が水平方向に対して（容器３外部に向けて）斜めに傾いているため、溶融金属１９は出口１８ａから容器３外部に排出され、容器３内部の調理物に混入することはない。
【００３１】
このように、圧力安全装置１７が動作しても、溶融金属１９が容器３内部の調理物に混入することはない。
【００３２】
（実施の形態２）
次に本発明の第２の実施形態について説明する。図３は本発明の第２の実施形態における圧力鍋の断面図を示すものである。又、図４は本発明の第２の実施形態における圧力鍋の部分拡大断面図を示すものである。尚、図３に示す圧力鍋は、図１に示す第１の実施形態における圧力鍋と比較して、圧力調整孔７周辺部分が異なるが、他の構成については略同一であるため、同一の部分については説明を省略する。
【００３３】
第２の実施形態では、図４に示すように、圧力調整孔７が形成されたノズル２を重錘９がかぶさっている形状である。又、ノズル２の側壁に蒸気排出孔の出口１８ａ部分が形成されており、この出口１８ａ部分は水平に対して斜めに傾いており、この出口１８ａは、一定温度で溶解する溶融金属１９で塞がれている。
【００３４】
第２の実施形態においても、第１の実施形態と同様に、蒸気排出孔１８の出口１８ａ部分が水平方向に対して斜めに傾いているため、溶融金属１９は出口１８ａから容器３外部に排出され、容器３内部の調理物に混入することはない。
【００３５】
（実施の形態３）
次に本発明の第３の実施形態について説明する。図５は、第３の実施形態における蒸気排出孔１８近傍の断面図を示している。図５に示す圧力安全装置は、蒸気排出孔１８の出口１８ａ部分の表面にネジ山とネジ溝を形成すると共に、その表面を溶融金属１９で覆っており、この出口１８ａをネジで固定している。尚、このネジ表面を溶融金属１９で覆うように構成しても良い。
【００３６】
以上のように、本実施の形態においては、外部より加熱されることで内部の圧力が上昇するよう構成した容器と、一定温度で溶融する金属で容器内に設けた穴を塞ぐことにより、蒸気を容器外に排出する圧力安全装置を有し、圧力安全装置は、通常圧力時に溶融した金属が容器内に落下しないように、溶融金属の自重落下方向が容器の外方となるように構成している。このため、誤って鍋内に水がない状態で加熱しても、溶融金属が鍋内に入ることを回避することができる。
【００３７】
また、上面を開口した容器とこの開口部を開閉自在に覆う蓋を有し、容器の蓋には、外部と貫通しかつ外部側の出口が水平より下方に向けた蒸気排出孔を設け、前記蒸気排出孔の出口に溶融金属の安全装置を設けたので簡単な構成で確実な効果を得ることができる。
【００３８】
また、上面を開口した容器とこの開口部を開閉自在に覆う蓋を有し、容器の蓋には、外部と貫通しかつ外部側の出口が水平より下方に向けた蒸気排出孔を設け、外部と貫通する圧力調整孔とこれに取り付けられるノズルとこれを上方より閉塞する錘で構成した錘式の調圧弁を設け、ノズルの側面に水平より下方に向けた蒸気排出孔を設け、前記蒸気排出孔の出口に溶融金属の圧力安全装置を設けたので、部品構成が簡素で、安価な圧力鍋を提供できる。
【００３９】
また、安全装置は、外面がねじ加工し、貫通する穴部を溶融金属で覆うようにしたものであり、組立、サービス性が優れた圧力鍋を提供できる。
【産業上の利用可能性】
【００４０】
以上のように、本発明にかかる電気圧力鍋は、圧力安全装置が動作した場合、どんな場合でも溶融金属が鍋内に入ることのない圧力鍋の安全装置として有用である。
【符号の説明】
【００４１】
２      ノズル
３      容器
４      蓋
６      調圧弁
７      圧力調整孔
８      重錘
９      温度検出手段
１０    加熱手段
１７    圧力安全装置
１８    蒸気排出孔
１８ａ  出口
１９    溶融金属
【図１】
0005877309.tif 000002
【図２】
0005877309.tif 000003
【図３】
0005877309.tif 000004
【図４】
0005877309.tif 000005
【図５】
0005877309.tif 000006